(57)【特許請求の範囲】
【請求項１】
デバイスとサービングセルとの間の通信に中断がある場合、期間を表す走査インターバルの開始を識別することと、
前記走査インターバル中におよび前記走査インターバルの前記開始を識別することに基づいて、前記サービングセルのサービング周波数帯域から第２の近接セルの第２の周波数帯域へ前記デバイスの第２の多入力多出力(ＭＩＭＯ)アンテナ資源をチューンすることと、
前記走査インターバルの間、
前記デバイスの第１の多入力多出力（ＭＩＭＯ）アンテナ資源で第１の近接セルからの前記サービング周波数帯域上で受信される複数の第１ワイヤレス信号の第１のハンドオフ関連測定を実行することと、
前記第１のＭＩＭＯアンテナ資源で受信される前記複数の第１ワイヤレス信号と同時に前記デバイスの前記第２のＭＩＭＯアンテナ資源で前記第２の近接セルからの前記第２の周波数帯域上で受信される複数の第２ワイヤレス信号の第２のハンドオフ関連測定を実行することと、
前記第１のハンドオフ関連測定および前記第２のハンドオフ関連測定に少なくとも部分的に基づいて前記第１の近接セルまたは前記第２の近接セルにハンドオフするかどうかを決定すること、
を備える方法。
【請求項２】
前記デバイスの前記第２のＭＩＭＯアンテナ資源を前記第２の周波数帯域から前記走査インターバルに続いてまたは前記第２のハンドオフ関連測定を行うことに続いて前記サービング周波数帯域へチューンすることをさらに備える、請求項１に記載の方法。
【請求項３】
前記走査インターバルの長さを決定することと、
前記第１のハンドオフ関連測定および前記第２のハンドオフ関連測定がパワー測定
または信号品質測定であるかどうかを前記走査インターバルの長さに少なくとも部分的に基づいて決定することと、
をさらに備える請求項１に記載の方法。
【請求項４】
前記第１のハンドオフ関連測定および前記第２のハンドオフ関連測定は、信号対雑音比（ＳＮＲ）、搬送波対干渉雑音比（ＣＩＮＲ）、ビット誤り率（ＢＥＲ）、１ビット当たりの信号電力と雑音密度の比（Ｅb／ＮO）または１シンボル当たりの信号電力と雑音密度の比（ＥS／ＮO）を含む信号品質測定を備える、請求項１に記載の方法。
【請求項５】
前記第１の近接セルが第１の無線アクセス技術（ＲＡＴ）を実装し、前記第２の近接セルが前記第１のＲＡＴを実装する、請求項１に記載の方法。
【請求項６】
前記サービングセルが第１のＲＡＴを実装する、請求項５に記載の方法。
【請求項７】
前記サービングセルが前記第１のＲＡＴとは異なる第２のＲＡＴを実装する、請求項５に記載の方法。
【請求項８】
前記第１の近接セルが第１の無線アクセス技術（ＲＡＴ）を実装し、前記第２の近接セルが前記第１のＲＡＴとは異なる第２のＲＡＴを実装する、請求項１に記載の方法。
【請求項９】
前記サービングセルが前記第１のＲＡＴを実装する、請求項８に記載の方法。
【請求項１０】
前記サービングセルが前記第１のＲＡＴおよび前記第２のＲＡＴとは異なる第３のＲＡＴを実装する、請求項８に記載の方法。
【請求項１１】
複数の多入力多出力（ＭＩＭＯ）アンテナ資源と、
前記複数のＭＩＭＯアンテナ資源に結合されたトランシーバと、
前記トランシーバと結合され、デバイスとサービングセルとの間の通信に中断がある場合、期間を表す走査インターバルの開始を識別するように構成された検出モジュールと、
前記トランシーバと結合され、走査インターバル中におよび前記検出モジュールが前記走査インターバルの前記開始を識別することに基づいて、サービングセルのサービング周波数帯域から第２の近接セルの第２の周波数帯域へ前記複数のＭＩＭＯアンテナリソースの第２のＭＩＭＯアンテナ資源をチューンするように構成されたチューニングモジュールと、
前記走査インターバルの間、前記複数のＭＩＭＯアンテナリソースの第１のＭＩＭＯアンテナ資源で第１の近接セルからの前記サービング周波数帯域上で受信される複数の第１ワイヤレス信号の第１のハンドオフ関連測定を実行し、
前記走査インターバルの間、前記第１のＭＩＭＯアンテナ資源で受信される前記複数の第１ワイヤレス信号と同時に前記第２のＭＩＭＯアンテナ資源で前記第２の近接セルからの前記第２の周波数帯域上で受信される複数の第２ワイヤレス信号の第２のハンドオフ関連測定を実行し、
前記第１のハンドオフ関連測定および前記第２のハンドオフ関連測定に少なくとも部分的に基づいて前記第１の近接セルまたは前記第２の近接セルにハンドオフするかどうかを決定するように構成され、前記トランシーバと結合された測定モジュールとを備える、
デバイス。
【請求項１２】
前記チューニングモジュールは前記第２のＭＩＭＯアンテナ資源を前記第２の周波数帯域から前記走査インターバルに続いてまたは前記第２のハンドオフ関連測定を行うことに続いて前記サービング周波数帯域へチューンするようにさらに構成される、請求項１１に記載のデバイス。
【請求項１３】
前記第１の近接セルが第１の無線アクセス技術（ＲＡＴ）を実装し、前記第２の近接セルが前記第１のＲＡＴを実装する、請求項１１に記載のデバイス。
【請求項１４】
前記第１の近接セルが第１の無線アクセス技術（ＲＡＴ）を実装し、前記第２の近接セルが前記第１のＲＡＴとは異なる第２のＲＡＴを実装する、請求項１１に記載のデバイス。
【請求項１５】
デバイスとサービングセルとの間の通信に中断がある場合、期間を表す走査インターバルの開始を識別するための手段と、
前記走査インターバル中におよび前記走査インターバルの前記開始を識別するための手段に基づいて、前記サービングセルのサービング周波数帯域から第２の近接セルの第２の周波数帯域へ前記デバイスの第２の多入力多出力(ＭＩＭＯ)アンテナ資源をチューンするための手段と、
前記走査インターバルの間、前記デバイスの第１の多入力多出力（ＭＩＭＯ）アンテナ資源で第１の近接セルからの前記サービング周波数帯域上で受信される複数の第１ワイヤレス信号の第１のハンドオフ関連測定を実行するための手段と、
前記走査インターバルの間、前記第１のＭＩＭＯアンテナ資源で受信される前記複数の第１ワイヤレス信号と同時に前記デバイスの第２のＭＩＭＯアンテナ資源で第２の近接セルからの前記第２の周波数帯域上で受信される複数の第２ワイヤレス信号の第２のハンドオフ関連測定を実行するための手段と、
前記第１のハンドオフ関連測定および前記第２のハンドオフ関連測定に少なくとも部分的に基づいて前記第１の近接セルまたは前記第２の近接セルにハンドオフするかどうかを決定するための手段と、
を備える装置。
【請求項１６】
チューンするための前記手段は前記デバイスの前記第２のＭＩＭＯアンテナ資源を前記第２の周波数帯域から前記走査インターバルに続いてまたは前記第２のハンドオフ関連測定を行うことに続いて前記サービング周波数帯域へチューンするようにさらに構成される、請求項１５に記載の装置。
【請求項１７】
デバイスとサービングセルとの間の通信に中断がある場合、期間を表す走査インターバルの開始を識別するためのコードと、
前記走査インターバル中におよび前記走査インターバルの前記開始を識別するための前記コードに基づいて、前記サービングセルのサービング周波数帯域から第２の近接セルの第２の周波数帯域へ前記デバイスの第２の多入力多出力(ＭＩＭＯ)アンテナ資源をチューンすることを少なくとも１つのコンピュータに行わせるコードと、
前記走査インターバルの間、前記デバイスの第１の多入力多出力（ＭＩＭＯ）アンテナ資源で第１の近接セルからの前記サービング周波数帯域上で受信される複数の第１ワイヤレス信号の第１のハンドオフ関連測定を実行することを前記少なくとも１つのコンピュータに行わせるコードと、
前記走査インターバルの間、前記第１のＭＩＭＯアンテナ資源で受信される前記複数の第１ワイヤレス信号と同時に前記デバイスの前記第２のＭＩＭＯアンテナ資源で前記第２の近接セルからの前記第２の周波数帯域上で受信される複数の第２ワイヤレス信号の第２のハンドオフ関連測定を実行することを前記少なくとも１つのコンピュータに行わせるコードと、
前記第１のハンドオフ関連測定および前記第２のハンドオフ関連測定に少なくとも部分的に基づいて前記第１の近接セルまたは前記第２の近接セルにハンドオフするかどうかを決定することを前記少なくとも１つのコンピュータに行わせるコードと、
を備える、コンピュータプログラム。
【請求項１８】
前記デバイスの前記第２のＭＩＭＯアンテナ資源を前記第２の周波数帯域から前記走査インターバルに続いてまたは前記第２のハンドオフ関連測定を行うことに続いて前記サービング周波数帯域へチューンすることを前記少なくとも１つのコンピュータに行わせるコードをさらに備える、請求項１７に記載のコンピュータプログラム。
【発明の詳細な説明】
【技術分野】
【０００１】
ワイヤレス通信システムが音声やデータなど様々なタイプの通信コンテンツを提供するために広く展開されている。このシステムは、利用可能なシステム資源（例えば帯域幅および送信パワー）を共用することによって複数のユーザとの通信をサポートできる多重アクセスシステムであり得る。そのような多重アクセスシステムの例としては、符号分割多重アクセス（ＣＤＭＡ）システム、時分割多重アクセス（ＴＤＭＡ）システム、周波数分割多重アクセス（ＦＤＭＡ）システム、３ＧＰＰロングタームエボリューション（ＬＴＥ）システム、直交周波数分割多重アクセス（ＯＦＤＭＡ）システムなどが挙げられる。
【背景技術】
【０００２】
一般に、ワイヤレス多重アクセス通信システムは、各々複数のモバイルデバイスの通信を同時にサポートする多数の基地局を含み得る。基地局は、ダウンストリームリンクおよびアップストリームリンクを介してモバイルデバイスと通信できる。各基地局は、セルのカバレージエリアと呼ばれることもある有効範囲を有する。ある基地局のカバレージエリアに入ることを所望しているモバイルデバイスは、その基地局との通信を確立するためのコンタクトを開始し得る。例えば、あるモバイルデバイスがターゲット基地局のカバレージエリアに入ることを所望する場合に、このモバイルデバイスは、このデバイスが現在通信している基地局との通信を終了してターゲット基地局との新たな通信リンクを確立するためにハンドオフ手続きを開始し得る。ハンドオフ手続きは、このターゲット基地局に初期送信を送ることを含む。このターゲット基地局は、初期送信を受信したときに、モバイルデバイスとターゲット基地局が通信チャネルを確立することを可能にする送信関連情報と共にモバイルデバイスへ応答を送り得る。
【０００３】
ハンドオフ手続きは、モバイルデバイスを、ある特定の無線アクセス技術（ＲＡＴ）を用いる基地局から異なるＲＡＴを用いる基地局にハンドオフする結果となり得る。ハンドオフ手続きが開始される前に、モバイルデバイスは、複数の潜在的ターゲット基地局から受信される複数の信号の品質を測定し得る。これら測定は、特定の期間中に実行できる。この期間は比較的短いことが多いが、これが、異なるＲＡＴや異なる周波数を用いる複数の潜在的ターゲット基地局の複数の信号を測定するモバイルデバイスの能力に影響を及ぼすことがある。
【発明の概要】
【０００４】
ＭＩＭＯベースアンテナ資源を使用して複数の近接セルを同時に走査するシステム、方法、デバイスおよびコンピュータ可読製品について説明する。１つの例では、複数の近接セルが走査のために識別される。走査インターバルの長さが検出され得る。第１セットのハンドオフ関連測定が第１のＭＩＭＯアンテナ資源で第１の近接セルから受信される複数のワイヤレス信号について実行される。第２セットのハンドオフ関連測定が第２のＭＩＭＯアンテナ資源で第２の近接セルから受信される複数のワイヤレス信号について同時に実行される。例えば、第１および／または第２のハンドオフ関連測定は、パワー測定または信号品質測定であってよい。１つの構成では、実行すべきハンドオフ関連測定のタイプが、走査インターバルの決定された長さに基づいて決定され得る。１つの例では、第１のハンドオフ関連測定および第２のハンドオフ関連測定が走査インターバル中に実行され得る。さらに、デバイスが接続モード(connect mode)であるか遊休モード(idol mode)であるかが判定され得る。実行すべきハンドオフ関連測定のタイプは、デバイスの決定されたモードに基づくこともできる。
【０００５】
１つの構成では、第１のハンドオフ関連測定がパワー測定であって、第２のハンドオフ関連測定が信号品質測定であってよい。１つの例では、信号品質測定が、信号対雑音比（ＳＮＲ）、搬送波対干渉雑音比（ＣＩＮＲ）、ビット誤り率（ＢＥＲ）、１ビット当たりの信号電力と雑音密度の比（Ｅb／ＮO）または１シンボル当たりの信号電力と雑音密度の比（ＥS／ＮO）を含み得る。
【０００６】
１つの例では、第１のＭＩＭＯアンテナ資源で第１の近接セルから受信される第１のダウンリンクメッセージが復号され得る。さらに、第２のＭＩＭＯアンテナ資源で第２の近接セルから受信される第２のダウンリンクメッセージも復号され得る。１つの構成では、これらのメッセージは、デバイスが遊休モードにあるときに復号され得る。
【０００７】
第１の近接セルはサービングセルと異なる周波数帯域にあってよい。加えて、第２の近接セルはサービングセルと異なる周波数帯域にあってよい。第１のＭＩＭＯアンテナ資源と関連付けられた受信機は、走査インターバルの第１期間中に第１の近接セルの周波数帯域にチューンされ得る。さらに、第２のＭＩＭＯアンテナ資源と関連付けられた受信機は、走査インターバルの第１期間中に第２の近接セルの周波数帯域にチューニングできる。１つの構成では、第１のＭＩＭＯアンテナ資源に関連付けられた受信機および第２のＭＩＭＯアンテナ資源と関連付けられた受信機が、走査インターバルの第２期間中にサービングセルの周波数帯域にチューニングできる。
【０００８】
１つの例では、第１の近接セルが第１の無線アクセス技術（ＲＡＴ）を含むことができ、第２の近接セルが第１のＲＡＴを含むこともできる。１つの構成では、サービングセルが第１のＲＡＴを含むこともできる。別の例では、第２の近接セルが第１のＲＡＴとは異なる第２のＲＡＴを含み得る。第２の近接セルがサービングセルとは異なる周波数帯域で動作することもできる。
【０００９】
ＭＩＭＯベースアンテナ資源を使用して複数の近接セルを同時に走査するデバイスについても説明する。このデバイスは、複数の多入力多出力（ＭＩＭＯ）アンテナ資源と、複数のＭＩＭＯアンテナ資源に結合されたトランシーバとを含み得る。また、このデバイスは、このトランシーバと通信している検出モジュールも含み得る。この検出モジュールは走査インターバルの長さを決定し得る。このデバイスは、このトランシーバと結合された測定モジュールをさらに含み得る。この測定モジュールは、実行すべきハンドオフ関連測定のタイプを走査インターバルの決定された長さに基づいて決定し得る。この測定モジュールは、複数のＭＩＭＯアンテナ資源のうちの第１のＭＩＭＯアンテナ資源で受信される第１の近接セルからの複数の第１ワイヤレス信号の第１のハンドオフ関連測定を実行し得る。このデバイスは、サービングセルと通信し得る。この測定モジュールは、複数のＭＩＭＯアンテナ資源のうちの第２のＭＩＭＯアンテナ資源で受信される第２の近接セルからの複数の第２ワイヤレス信号の第２のハンドオフ関連測定も実行できる。これら第２ワイヤレス信号は、第１のＭＩＭＯアンテナ資源で受信される複数の第１ワイヤレス信号と同時に第２のＭＩＭＯアンテナ資源で受信され得る。
【００１０】
ＭＩＭＯベースアンテナ資源を使用して複数の近接セルを同時に走査する装置についても説明する。この装置は、実行すべきハンドオフ関連測定のタイプを走査インターバルの決定された長さに基づいて決定するための手段を含み得る。この装置は、デバイスの第１の多入力多出力（ＭＩＭＯ）アンテナ資源で受信される第１の近接セルからの複数の第１ワイヤレス信号の第１のハンドオフ関連測定を実行するための手段を含み得る。このデバイスは、サービングセルと通信できる。この装置は、デバイスの第２のＭＩＭＯアンテナ資源で受信する第２の近接セルからの複数の第２ワイヤレス信号の第２のハンドオフ関連測定を実行するための手段をさらに含み得る。これら第２ワイヤレス信号は、第１のＭＩＭＯアンテナ資源で受信される複数の第１ワイヤレス信号と同時に第２のＭＩＭＯアンテナ資源で受信され得る。
【００１１】
ＭＩＭＯベースアンテナ資源を使用して複数の近接セルを同時に走査するコンピュータプログラム製品についても説明する。この製品は、非一時的コンピュータ可読媒体を含み得る。この媒体は、実行すべきハンドオフ関連測定のタイプを走査インターバルの決定された長さに基づいて決定するコードを含み得る。この媒体は、デバイスの第１の多入力多出力（ＭＩＭＯ）アンテナ資源で受信される第１の近接セルからの複数の第１ワイヤレス信号の第１のハンドオフ関連測定を実行するコードをさらに含み得る。このデバイスはサービングセルと通信し得る。このコンピュータ可読媒体は、デバイスの第２のＭＩＭＯアンテナ資源で受信される第２の近接セルからの複数の第２ワイヤレス信号の第２のハンドオフ関連測定を実行するコードをさらに含み得る。１つの例では、これら第２ワイヤレス信号は、第１のＭＩＭＯアンテナ資源で受信される複数の第１ワイヤレス信号と同時に第２のＭＩＭＯアンテナ資源で受信され得る。
【００１２】
以上は、本開示による例の特徴および技術的態様をかなり広範に概説したものである。以下、さらなる特徴について説明する。開示する概念および具体例は、本開示の同じ目的を実行する他の構造を修正または設計するための基礎として容易に利用できる。そのような均等物の構成は、添付の特許請求の範囲の趣旨および範囲を逸脱しない。本明細書に開示する概念の特徴であると考えられる特徴は、それらの編成および動作方法の両方について、以下の説明を添付の図面と関連付けて考慮すれば、より良く理解されるであろう。これらの図面の各々は、例示および説明のみを目的として与えたものであり、特許請求の範囲の限界を定義するものとして与えたものではない。
【図面の簡単な説明】
【００１３】
本発明の性質のさらなる理解が、以下の図面を参照することにより実現され得る。添付の図面では、同様の構成要素または特徴には、同じ参照符号を付していることがある。さらに、同じタイプの様々な構成要素は、その参照符号に続けて記すダッシュと同類の構成要素どうしを区別する第２の符号とによって区別することがある。明細書中で第１の参照符号しか使用されていない場合には、その説明は、第２の参照符号に関わらず、第１の参照符号が同じである同類の構成要素のいずれにも適用できる。
【図１】ワイヤレス通信システムを示すブロック図。
【図２】基地局およびモバイルデバイスを含むシステムを含むブロック図。
【図３】モバイルデバイスの１つの構成を示すブロック図。
【図４Ａ】モバイルデバイスの一例を示す図。
【図４Ｂ】モバイルデバイスの別の例を示す図。
【図５】ＭＩＭＯベースアンテナ資源を使用して複数の近接セルの走査手続きを同時に実行する方法の一例を示す流れ図。
【図６】ＭＩＭＯベースアンテナ資源を使用して、サービングセルと同じ周波数帯域で動作する複数の近接セルを同じ走査インターバル中に同時に走査する方法を示す図。
【図７】サービングセルと異なる周波数帯域および／またはＲＡＴで動作している少なくとも１つの近接セル並びにサービングセルと同じ周波数およびＲＡＴを共用する少なくとも１つの近接セルと並列的に複数の近接セルを走査する方法を示す図。
【図８】デバイスが接続モードである間に、計算すべき測定値のタイプを走査インターバルの決定された長さに基づいて決定する方法を示す図。
【図９】計算すべき測定値のタイプをデバイスのモードおよび走査インターバルの決定された長さに基づいて決定する方法を示す図。
【発明を実施するための形態】
【００１４】
マルチモードデバイスの多入力多出力（ＭＩＭＯ）アンテナ資源を用いた複数のワイヤレス信号の同時走査について説明する。ＭＩＭＯアンテナ資源によって実行される走査手続きを実施して、近接セルから受信される信号の特定の特徴を測定できる。測定した特徴は、モバイルデバイスをある基地局から別の基地局にハンドオフする手続きに関係し得る。例えば、デバイスがサービングセルと通信していることがある。サービングセルと通信しているあいだ、そのデバイスは、走査インターバル中に第１の近接セルから複数の第１ワイヤレス信号を受信し、第１セットのＭＩＭＯアンテナ資源を使用してこれら第１ワイヤレス信号の第１のハンドオフ関連測定を実行し得る。加えて、このデバイスは、同じ走査インターバル中に第２の近接セルから複数の第２ワイヤレス信号を受信し得る。このデバイスは、第２セットのＭＩＭＯアンテナ資源を使用して、これら第２ワイヤレス信号の第２のハンドオフ関連測定を実行し得る。このデバイスは、複数の第２ワイヤレス信号を受信し測定することと同時に、複数の第１ワイヤレス信号を受信し測定することを行い得る。１つの例では、走査手続きの結果がハンドオフ手続きを実行するかどうかを判断するためにサービングセルまたはデバイスのいずれかにより使用され得る。
【００１５】
本明細書で使用されるように、用語「サービングセル」は用語「サービング基地局」と交換して用いられてよい。同様に、用語「近接セル」は用語「近接基地局」と交換して用いられてよい。
【００１６】
デバイスは、ＣＤＭＡ、ＴＤＭＡ、ＦＤＭＡ、ＯＦＤＭＡ、ＳＣＦＤＭＡおよび他のシステムなど、様々なワイヤレス通信システムをサポートできるマルチモードデバイスであり得る。用語「システム」および用語「ネットワーク」はしばじば交換して用いられる。ＣＤＭＡシステムは、ＣＤＭＡ２０００やユニバーサル地上無線アクセス（ＵＴＲＡ）のような無線アクセス技術（ＲＡＴ）を実施できる。ＣＤＭＡ２０００は、ＩＳ−２０００、ＩＳ−９５およびＩＳ−８５６の標準をカバーする。ＩＳ−２０００  Ｒｅｌｅａｓｅ  ０およびＡは、一般にＣＤＭＡ２０００  １Ｘ、１Ｘなどと呼ばれる。ＩＳ−８５６（ＴＩＡ−８５６）は、一般にＣＤＭＡ２０００  １ｘＥＶ−ＤＯ、ハイレートパケットデータ（ＦＲＰＤ）などと呼ばれる。ＵＴＲＡは、広帯域ＣＤＭＡ（ＷＣＤＭＡ）（登録商標）および他のタイプのＣＤＭＡを含む。ＴＤＭＡシステムは、移動通信用グローバルシステム（ＧＳＭ）（登録商標）のようなＲＡＴを実施できる。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭのようなＲＡＴを実施できる。ＵＴＲＡおよびＥ−ＵＴＲＡは、ユニバーサルモバイル通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用する新たにリリースされたＵＭＴＳである。ＵＴＲＡ、Ｅ−ＵＴＲＡ、ＵＭＴＳ、ＬＴＥ、ＬＴＥ−ＡおよびＧＳＭについては、「第３世代パートナーシッププロジェクト」（３ＧＰＰ）と呼ばれる機関の文書に記載されている。ＣＤＭＡ２０００およびＵＭＢについては、「第３世代パートナーシッププロジェクト２」（３ＧＰＰ２）と呼ばれる機関の文書に記載されている。現在では、走査インターバル中に得られる近接セルの測定は、サービングセルと関連付けられた周波数帯域または無線アクセス技術（ＲＡＴ）を用いる近接セルに限定されている。例えば、サービングセルがＷｉＭＡＸネットワーク内にある場合には、現在の標準では、近接セルの測定は、ＷｉＭＡＸに基づくＲＡＴを使用し、ＷｉＭＡＸネットワーク内の周波数帯域で動作する近接セルに限定される。本明細書に記載するデバイスのアーキテクチャによれば、デバイスは、サービングセルと関連付けられた周波数帯域およびＲＡＴを使用する近接セルの測定値を取得し続けながら、同じ走査インターバル中に、サービングセルが使用するものとは異なる周波数帯域またはＲＡＴを使用する近接セルの測定値を取得できる。
【００１７】
本明細書に記載する技術は、上述のシステムおよびＲＡＴ並びに他のシステムおよびＲＡＴに使用できる。従って、以下の記述は、例を与えるものであり、特許請求の範囲に記載する範囲、適応可能性または構成を制限するものではない。本開示の趣旨および範囲を逸脱することなく、記載する要素の機能および配列に変更を加えることができる。様々な実施形態では、様々な手続きまたは構成要素を、適宜省略、置換または追加できる。例えば、記載する方法は、記載した順序とは異なる順序で実行することもでき、様々なステップを追加したり、省略したり、または組み合わせたりすることもできる。また、いくつかの実施形態に関連して記載した特徴を、他の実施形態で組み合わせることもできる。
【００１８】
まず図１を参照すると、ブロック図は、ワイヤレス通信システム１００の例を示している。システム１００は、複数の基地局１０５（またはセル）、複数のモバイルデバイス１１５、基地局制御装置１２０、およびコアネットワーク１２５を含む（制御装置１２０は、コアネットワーク１２５に一体化されてよい）。システム１００は、複数の搬送波（異なる周波数の波形信号）上の動作をサポートできる。
【００１９】
複数の基地局１０５は、基地局アンテナ（図示せず）を介して複数のモバイルデバイス１１５とワイヤレス通信し得る。これら基地局１０５は、複数の搬送波を介して、基地局制御装置１２０の制御下で複数のモバイルデバイス１１５と通信し得る。これら基地局１０５サイトの各々は該当地域に通信有効範囲を提供し得る。ここでは、各基地局１０５のカバレージエリアが、１１０−ａ、１１０−ｂまたは１１０−ｃとして識別される。１つの基地局のカバレージエリアは、複数のセクタ（図示していないが、カバレージエリアの一部のみを構成する）に分割されてよい。システム１００は、異なるタイプの基地局１０５（例えばマクロ基地局、マイクロ基地局および／またはピコ基地局）を含み得る。異なる技術の複数のカバレージエリアは重なり合ってよい。
【００２０】
複数のモバイルデバイス１１５は、これらカバレージエリア１１０の全体にわたって分散されることができる。これらモバイルデバイス１１５は、モバイル局、モバイルデバイス、アクセス端末（ＡＴ）、ユーザ機器（ＵＥ）、加入者局（ＳＳ）または加入者ユニットと呼ばれることもある。これらモバイルデバイス１１５としては、携帯電話およびワイヤレス通信デバイスが挙げられるが、携帯情報端末（ＰＤＡ）、他の手持ち型デバイス、ネットブック、ノートブックコンピュータなども含まれる。
【００２１】
複数の基地局１０５は、異なるＲＡＴを提供し得る。例えば、１つの基地局がＷｉＭＡＸに基づくＲＡＴを提供する一方で、別の基地局がＣＤＭＡに基づくＲＡＴを提供し得る。１つの構成では、これらモバイルデバイス１１５がマルチモードデバイスあることで、例えばＷｉＭＡＸに基づくＲＡＴおよびＣＤＭＡに基づくＲＡＴの両方を使用するようにできる。ＷｉＭＡＸに基づくＲＡＴを提供するサービングセルからＣＤＭＡに基づくＲＡＴを提供する近接セルに移行するために、モバイルデバイス１１５は、ハンドオフ手続きが開始される前に、その近接セルのハンドオフ関連測定値を計算し得る。本明細書に記載されるこれらモバイルデバイス１１５は、１つの走査インターバル中に異なるＲＡＴを提供する複数の基地局の同時走査手続き（すなわちハンドオフ関連測定）を実行することを可能にするアーキテクチャを有する。例えば、これらモバイルデバイス１１５は、サービング基地局が提供するのと同じＲＡＴ（例えばＷｉＭＡＸに基づくＲＡＴ）を提供する複数の近接基地局から受信される複数のワイヤレス信号の測定を実行しながら、それと並行して、異なるＲＡＴ（例えばＣＤＭＡに基づくＲＡＴ）を提供する複数の近接基地局から受信される複数のワイヤレス信号の測定を実行することを可能にするアーキテクチャを有し得る。
【００２２】
図２は、基地局１０５−ａおよびモバイルデバイス１１５−ａを含むシステム２００を示すブロック図である。このシステム２００は、図１のシステム１００の一例であり得る。基地局１０５−ａはアンテナ２３４−ａ〜２３４−ｘを備えることができ、モバイルデバイス１１５−ａはアンテナ２５２−ａ〜２５２−ｎを備えることができる。基地局１０５−ａでは、送信プロセッサ２２０がデータソースからデータを受信できる。
【００２３】
送信プロセッサ２２０は、このデータを処理できる。送信プロセッサ２２０は、また参照シンボルおよびセル固有参照信号を生成できる。送信（ＴＸ）ＭＩＭＯプロセッサ２３０は、適用可能であれば、データシンボル、制御シンボルおよび／または参照シンボルに対して空間処理（例えばプリコーディング）を実行でき、シンボルストリームを送信変調器２３２−ａ〜２３２−ｘに出力できる。各変調器２３２は、該当の出力シンボルストリーム（例えばＯＦＤＭなどの出力シンボルストリーム）を処理して、出力サンプルストリームを得ることができる。各変調器２３２は、その出力サンプルストリームをさらに処理（例えばアナログ変換、増幅、フィルタリングおよびアップ変換など）して、ダウンリンク（ＤＬ）信号を得ることができる。１つの例では、変調器２３２−ａ〜２３２−ｘのＤＬ信号は、それぞれアンテナ２３４−ａ〜２３４−ｘを介して送信できる。
【００２４】
モバイルデバイス１１５−ａでは、モバイルデバイスアンテナ２５２−ａ〜２５２−ｎが基地局１０５−ａからのＤＬ信号を受信し、受信された信号をそれぞれ復調器２５４−ａ〜２５４−ｎに提供できる。各復調器２５４は、該当の受信信号を調整（例えばフィルタリング、増幅、ダウン変換およびデジタル化など）して入力サンプルを得ることができる。各復調器２５４は、これら入力サンプル（例えばＯＦＤＭなどの入力サンプル）をさらに処理して、複数の受信シンボルを得ることができる。ＭＩＭＯ検出器２５６は、すべての復調器２５４−ａ〜２５４−ｎから受信シンボルを取得し、適用可能ならばそれらの受信シンボルにＭＩＭＯ検出を実行し、検出シンボルを提供できる。受信プロセッサ２５８は、これら検出シンボルを処理（例えば復調、インタリーブ解除および復号など）して、モバイルデバイス１１５−ａの復号データをデータ出力に提供し、復号された制御情報をプロセッサ２８０またはメモリ２８２に提供できる。
【００２５】
モバイルデバイス１１５−ａは、どのアンテナ２５２が複数の特定の基地局１１０からの信号を受信するかを決定できるトランシーバ制御装置２８４を含み得る。例えば、トランシーバ制御装置２８４は、基地局１０５−ａからのＤＬ信号を受信するために第１のアンテナ２５２−ａをアクティブにできるが、ここで基地局１０５−ａが現在モバイルデバイス１１５−ａにサーブしていることがある。従って、基地局１０５−ａとモバイルデバイス１１５−ａとが、同じ周波数帯域および／または同じＲＡＴを使用している可能性がある。第１のアンテナ２５２−ａが基地局１０５−ａからの信号を受信しているあいだ、トランシーバ制御装置２８４は、モバイルデバイス１１５−ａが現在位置している地域とは異なる地域にサービスしている別の基地局からのＤＬ信号を受信するために別のアンテナ２５２−ｎをアクティブにすることもできる。その結果として、この別の基地局とモバイルデバイス１１５−ａとは、同じ周波数帯域および／または同じＲＡＴを使用していない可能性がある。様々な例で、トランシーバ制御装置２８４は、同じ走査インターバル中に両セットのアンテナをアクティブにして、これらアンテナが同じ期間中に異なる基地局からの信号を受信するようにできる。
【００２６】
アップリンク（ＵＬ）では、モバイルデバイス１１５−ａで、送信プロセッサ２６４が、データソースからデータを受信して処理できる。送信プロセッサ２６４は、参照信号の参照シンボルを生成することもできる。送信プロセッサ２６４からのシンボルは、適用可能であれば送信ＭＩＭＯプロセッサ２６６によってプレコーディングされ、復調器２５４−ａ〜２５４−ｎによってさらに処理されて（例えばＳＣ−ＦＤＭＡ向けなど）、基地局１０５−ａから受信された送信パラメータに従って基地局１０５−ａに送信できる。基地局１０５−ａでは、モバイルデバイス１１５−ａからのＵＬ信号がアンテナ２３４によって受信され、復調器２３２によって処理され、適用可能であればＭＩＭＯ検出器２３６によって検出され、受信プロセッサによってさらに処理されることができる。受信側のプロセッサ２３８は、復号されたデータをデータ出力およびプロセッサ２４０に提供できる。
【００２７】
ここで図３を参照すると、ブロック図は、モバイルデバイス１１５−ｂの１つの構成を示している。モバイルデバイス１１５−ｂは図１または図２のモバイルデバイス１１５の一例であり得る。デバイス１１５−ｂは、トランシーバ３０６に結合された多数のアンテナ３１５を含み得る。この多数のアンテナ３１５は、基地局との間で信号を送受信する複数のＭＩＭＯベースアンテナであり得る。これらアンテナ３１５は、異なる基地局から同時に信号を受信し得る。例えば、第１のＭＩＭＯアンテナ３１５−ａ−１が第１の基地局から信号を受信するのと同時に、第２のＭＩＭＯアンテナ３１５−ａ−２が第２の基地局から異なる信号を受信できる。別の例では、第１のＭＩＭＯアンテナ３１５−ａ−１が信号の受信を開始し、それより遅れて、ただし第１のＭＩＭＯアンテナ３１５−ａ−１が依然として信号を受信しているあいだに、第２のＭＩＭＯアンテナ３１５−ａ−２が信号の受信を開始できる。その結果、本明細書で、また他の図面に関連して用られるような用語「同時に」および「並列的に」は、「並行して」および／または「部分的に重なる」を意味し得る。
【００２８】
これら基地局は、モバイルデバイス１１５−ｂに現在サーブしている基地局が使用する周波数帯域と同じまたは異なる周波数帯域において動作し得る。別の例では、これら基地局が現在サービング基地局からモバイルデバイス１１５−ｂに提供されているＲＡＴと異なるＲＡＴを提供し得る。
【００２９】
複数のアンテナ３１５によって受信された複数の信号は測定モジュール３１０によって解析され得る。測定モジュール３１０は、受信信号の様々な特徴を決定し得る。モバイルデバイス１１５−ｂは近接基地局へのハンドオフに取りかかるか否かを判断するために決定された特徴を使用し得る。例えば、モバイルデバイス１１５−ｂは、サービング基地局と通信中でよい。これらアンテナ３１５は、走査インターバル中に多数の近接基地局からの信号を受信し得る。走査インターバルは、モバイルデバイス１１５−ｂとサービング基地局との間の通信に中断がある期間を表す。測定モジュール３１０はこれら近接基地局から受信されたこれら信号を解析でき、モバイルデバイス１１５−ｂはこの測定モジュール３１０によって解析されたこれら信号の特徴に基づいて、サービング基地局との通信を中止して、近接基地局のうちの１つとの通信を確立するかどうかを判断し得る。
【００３０】
図４Ａは、モバイルデバイス１１５−ｃの一例を示すブロック図である。モバイルデバイス１１５−ｃは図１、図２または図３のモバイルデバイス１１５の一例であり得る。１つの構成では、モバイルデバイス１１５−ｃが、検出モジュール４０５、トランシーバ３０５、多数のアンテナ３１５、復号モジュール４１０、測定モジュール３１０−ａおよびトランシーバ制御装置２８４−ａを含み得る。測定モジュール３１０−ａは図３の測定モジュール３１０の一例であり得る。トランシーバ制御装置２８４−ａは図２のトランシーバ制御装置２８４の一例であり得る。
【００３１】
１つの例では、検出モジュール４０５が、モバイルデバイス１１５−ｃによって開始された走査手続きに関する特定の情報を解析し得る。検出モジュール４０５は、また近接基地局およびサービング基地局の特徴を検出し得る。検出モジュール４０５によって検出された情報は、トランシーバ制御装置２８４−ａに通信され得る。制御装置２８４−ａはトランシーバ３０５およびアンテナ３１５を制御または規制できる。例えば、制御装置２８４−ａは、どの１つまたは複数のアンテナ３１５がサービング基地局からの複数の信号を受信すべきか、およびどの１つまたは複数のアンテナ３１５が複数の近接基地局からの複数の信号を受信して処理すべきかを判断し得る。制御装置２８４−ａは、どの１つまたは複数のアンテナ３１５が異なる周波数で複数の信号を受信して処理すべきかを判断し得る。制御装置２８４−ａは、どの１つまたは複数のアンテナがパワー測定または信号品質測定を走査インターバルの長さ、並びにチューニングが必要かどうか（およびどの程度必要か）に基づいて実行すべきかを判断し得る。測定モジュール３１０−ａおよび復号モジュール４１０はこれらアンテナ３１５−ａによって受信された複数の信号を解析し得る。
【００３２】
１つの例では、測定モジュール３１０−ａが各基地局から受信された信号の解析に基づいて複数の近接基地局の性質を識別し得る。例えば、測定モジュール３１０−ａは、これら近接基地局から受信された複数の信号の強度を測定し得る。復号モジュール４１０は、近接基地局から受信された信号中に符号化され得るデータを復号し得る。例えば、ある近接基地局を識別するデータが信号中に符号化され得る。加えて、近接セルのためのタイミング情報、パワー特性、オフセット情報なども信号中に符号化され得る。測定の実行または様々な近接基地局からの信号の復号は、走査インターバル中に並列的に行われ得る。例えば、測定モジュール３１０−ａが走査インターバル中に１つの近接基地局から受信された複数の信号の測定を実行するあいだに、復号モジュール４１０が同じ走査インターバル中に別の近接基地局から受信された複数の信号を復号し得る。
【００３３】
ここで図４Ｂを参照すると、ブロック図は、モバイルデバイス１１５−ｄを示している。モバイルデバイス１１５−ｄは図１、図２、図３または図４Ａのモバイルデバイス１１５の一例であり得る。デバイス１１５−ｄは、検出モジュール４０５−ａ、トランシーバ制御装置２８４−ａ、チューニングモジュール４２５、トランシーバ３０５、多数のＭＩＭＯベースアンテナ３１５、アンテナ３１５の各々と関連付けられた多数の受信機４３０、測定モジュール３１０−ｂおよび復号モジュール４１０−ａを含み得る。
【００３４】
検出モジュール４０５−ａは、走査インターバル検出モジュール４１５および近接セル検出モジュール４２０を含み得る。１つの例では、デバイス１１５−ｄがサービング基地局との確立された通信チャネルを有し得る。近接セル検出モジュール４２０は、近接基地局（例えばサービングセルと異なる地域にサーブしている近接基地局など）を識別し得る。近接セル検出モジュール４２０は、これら近接基地局がサービング基地局と同じ周波数帯域で動作しているかどうかを識別し得る。近接セル検出モジュール４２０は、これら近接基地局がサービング基地局と同じＲＡＴで機能しているかどうかもさらに検出し得る。
【００３５】
デバイス１１５−ｄは、ハンドオフ手続きを開始すべきかどうかを判断する走査手続きを実行し得る。複数の近接基地局から受信される複数の信号のハンドオフ関連測定を実行することを含むこの走査手続きは、走査インターバル中に実行され得る。走査インターバル検出モジュール４１５は走査インターバルの始まりおよび走査インターバルの長さを検出し得る。
【００３６】
検出モジュール４０５−ａによって検出された情報は、トランシーバ制御装置２８４−ｂに通信され得る。制御装置２８４−ｂは、どのＭＩＭＯアンテナ３１５がサービング基地局と同じ周波数およびＲＡＴを共用している複数の近接基地局からの複数の信号を受信するか、並びにどのＭＩＭＯアンテナ３１５が異なる周波数帯域およびＲＡＴで動作する複数の近接基地局からの複数の信号を受信するかを判断し得る。制御装置２８４−ｂは、これら受信信号に対して実行すべき測定のタイプも決定し得る。トランシーバ制御装置２８４−ｂは、この決定を、走査インターバルの長さに基づいて行い得る。例えば、走査インターバルは、極めて短い期間として決定され得る。制御装置２８４−ｂは、複数の近接基地局の一部またはすべてから受信されたテク数の信号がこれら信号のパワー測定値を決定するために解析されるべきであることを決定し得る。パワー測定値は、測定モジュール３１０−ｂ内のパワー測定モジュール４３５によって決定され得る。受信信号のパワー測定値の例は、受信信号強度指標（ＲＳＳＩ）であり得る。
【００３７】
別の例において、走査インターバル検出モジュール４１５は、走査インターバルがより長い期間を持つことを決定し得る。トランシーバ制御装置２８４−ｂは、複数の近接基地局の一部またはすべてから受信された複数の信号が信号品質測定値を計算するために解析されるすべきである命令を提供し得る。信号品質測定値は信号品質測定モジュール４４０によって計算され得る。信号品質測定値の例は、信号対雑音比（ＳＮＲ）、搬送波対干渉雑音比（ＣＩＮＲ）、ビット誤り率（ＢＥＲ）、１ビット当たりの信号電力と雑音密度の比（Ｅb／Ｎo）、１シンボル当たりの信号電力と雑音密度の比（ＥS／ＮO）、搬送波対受信機雑音比（Ｃ／ｋＴ）または変調誤り率（ＭＥＲ）などであり得る。
【００３８】
１つの構成では、走査インターバルがさらに長い期間であり得る。複数の近接基地局から受信される複数の信号はこれら近接基地局に関する情報を含むＤＬ符号化メッセージを含み得る。長い走査インターバルのあいだに、これら符号化メッセージがこれら近接基地局に関する情報をこのメッセージから抽出するために復号モジュール４１０−ａによって復号され得る。抽出された情報は、この近接基地局の識別情報を含み得る。この情報は、この近接基地局のパワー特性、タイミングパラメータなども提供し得る。モバイルデバイス１１５−ｄは、サービング基地局から選択した近接基地局にうまく移行するためにこの復号された情報を使用し得る。
【００３９】
１つの例では、近接局がサービング基地局と異なる周波数帯域またはＲＡＴで動作し得る。複数の信号が近接基地局からあるアンテナ３１５で受信される前に、チューニングモジュール４２５はこのアンテナ３１５に関連付けられた受信機４３０をチューニングし得る。この受信機はこの近接基地局の周波数帯域にチューンされ得る。１つの構成では、チューニングモジュール４２５が走査インターバルの一部分のあいだにこのチューニングを実行し得る。受信機４３０が異なる周波数帯域で動作している近接基地局にチューンされた後、アンテナ３１５がこの近接基地局からの複数の信号を受信し、測定モジュール３１０−ｂがこれら受信信号のハンドオフ関連測定の実行に進み得る。これら信号のハンドオフ関連測定を完了すると、チューニングモジュール４２５が受信機４３０をサービング基地局の周波数帯域に再度チューニングし得る。
【００４０】
１つの構成では、チューニングモジュール４２５は、サービング基地局と同じ周波数帯域またはＲＡＴで動作する複数の近接基地局からの複数の信号を走査インターバル中に受信する複数のアンテナ３１５に関連付けられた複数の受信機をチューニングしなくてよい。その結果、この走査インターバル中に、これらアンテナ３１５がサービング基地局と同じまたは異なる周波数帯域で動作し、サービング基地局と同じまたは異なるＲＡＴを提供する複数の近接基地局からの複数の信号を同時に受信できる。
【００４１】
図５は、ＭＩＭＯベースアンテナ資源を使用して複数の近接セルの走査手続きを同時に実行する方法５００の一例を示す流れ図である。方法５００は、図１、図２、図３、図４Ａまたは図４Ｂのモバイルデバイス１１５のようなモバイルデバイスによって実施できる。この例では、方法５００が図３のトランシーバ３０５および測定モジュール３１０によって実施され得る。
【００４２】
ブロック５０５では、実行すべきハンドオフ関連測定のタイプが走査インターバルの決定された長さに基づいて決定され得る。検出モジュール４０５は走査インターバルの長さを決定し得る。測定モジュール３１０は実行すべき測定のタイプをこの走査インターバルの長さに基づいて決定し得る。ブロック５１０では、複数の第１ワイヤレス信号の第１のハンドオフ関連測定が実行され得る。これら第１ワイヤレス信号は、図３の第１のアンテナ３１５−ａ−１のような、デバイス１１５の第１のＭＩＭＯアンテナ資源で受信され得る。これら第１ワイヤレス信号は、第１の近接セルから第１のＭＩＭＯアンテナ３１５−ａ−１に送信され得る。１つの構成では、デバイス１１５がサービングセルと通信していることができる。
【００４３】
ブロック５１５で、複数の第２ワイヤレス信号の第２のハンドオフ関連測定が実行され得る。１つの例では、複数の第２ワイヤレス信号が、図３の第２のアンテナ３１５−ａ−２のような、デバイスの第２のＭＩＭＯアンテナ資源で受信され得る。これら第２ワイヤレス信号は、第２の近接セルから送信され得る。１つの構成では、第１のＭＩＭＯアンテナ資源３１５−ａ−１で受信される複数の第１ワイヤレス信号と同時に、第２のＭＩＭＯアンテナ資源３１５−ａ−２が複数の第２ワイヤレス信号を受信し得る。前述したように、「同時に」とは、複数の第１の信号と複数の第２の信号が部分的に重なる期間中に該当のＭＩＭＯアンテナで受信されることを意味すると解釈し得る。従って、「同時に」は、第１のＭＩＭＯアンテナ資源３１５−ａ−１が複数の第１ワイヤレス信号の受信を開始し、それより遅れて、ただし第１のＭＩＭＯアンテナ資源３１５−ａ−１が依然として複数の第１ワイヤレス信号を受信しているあいだに、第２のＭＩＭＯアンテナ資源３１５−ａ−２が複数の第２ワイヤレス信号の受信を開始し得ることを意味し得る。その結果として、該当のアンテナでの信号の受信が重なり得る。
【００４４】
従って、方法５００は、１つのモバイルデバイス１１５のＭＩＭＯベースアンテナ資源３１５を使用して複数の近接基地局からの複数の信号を並列的に走査することを実現できる。なお、方法５００は単なる１つの実施態様に過ぎず、方法５００の動作は、他の実施態様が可能になるように再構成あるいは変形できることに留意されたい。
【００４５】
図６は、ＭＩＭＯベースアンテナ資源を使用して、サービングセルと同じ周波数帯域で動作する複数の近接セルを同じ走査インターバル中に同時に走査する方法６００の一例を示す図である。１つの構成では、方法６００は、図１、図２、図３、図４Ａまたは図４Ｂのモバイルデバイス１１５のようなモバイルデバイスによって実施され得る。この例では、方法６００が図４Ａまたは図４Ｂのデバイス１１５の検出モジュール４０５、トランシーバ制御装置２８４および測定モジュール３１０によって実施され得る。
【００４６】
ブロック６０５では、サービングセルと同じ周波数帯域にある近接セルが識別できる。これは、サービングセルと同じＲＡＴを提供する複数の近接セルを識別することをさらに含み得る。ブロック６１０では、走査インターバルの開始が識別できる。ブロック６１５では、識別された複数の近接セルが、２つ以上のサブセットのセルに分割できる。１つの例では、ブロック６２０で、複数の第１ワイヤレス信号の第１のハンドオフ関連測定が走査インターバル中に実行できる。これら第１ワイヤレス信号は第１サブセットの近接セルからであって、第１のＭＩＭＯアンテナ資源３１５−ａ−１によって受信できる。さらに、ブロック６２５では、複数の第２ワイヤレス信号の第２のハンドオフ関連測定が第１のハンドオフ関連測定と並行して実行できる。これら第２ワイヤレス信号は第２サブセットの近接セルからであって、第２のＭＩＭＯアンテナ資源３１５−ａ−２で受信できる。１つの例では、第１および第２のハンドオフ関連測定が、ＲＳＳＩ測定のような、受信信号のパワー測定であり得る。別の例では、ハンドオフ関連測定が、ＣＩＮＲやＳＮＲのような（ただしこれらに限定されない）信号品質測定であり得る。
【００４７】
従って、方法６００は、サービングセルと同じ周波数帯域またはＲＡＴで動作する複数の近接セルを同じ走査インターバル中に同時に走査することを実現できる。なお、方法６００は単なる１つの実施態様に過ぎず、方法６００の動作は、他の実施態様が可能になるように再構成あるいは変形できることに留意されたい。
【００４８】
ここで図７を参照すると、サービングセルと異なる周波数帯域および／またはＲＡＴで動作している少なくとも１つの近接セル、並びにサービングセルと同じ周波数およびＲＡＴを共用する少なくとも１つの近接セルと並列的に複数の近接セルを走査する例示的な方法７００が示してある。１つの例では、方法７００が、図１、図２、図３、図４Ａまたは図４Ｂのモバイルデバイス１１５によって実施され得る。
【００４９】
１つの構成では、ブロック７０５で、サービングセルと同じ周波数帯域または同じＲＡＴで動作している少なくとも１つの近接セルが識別できる。加えて、サービングセルと異なる周波数帯域または異なるＲＡＴで動作している少なくとも１つの近接セルも識別される。ブロック７１０では、走査インターバルの長さが決定される。ブロック７１５では、走査インターバルの開始が識別される。サービングセルと同じ周波数帯域または同じＲＡＴで動作している第１の近接セルについては、ブロック７２０で、その走査インターバル中に複数の第１ワイヤレス信号の第１のハンドオフ関連測定が実行される。これら第１ワイヤレス信号はデバイス１１５の第１のＭＩＭＯアンテナ資源３１５−ａ−１によって受信され得る。
【００５０】
サービングセルと異なる周波数帯域または異なるＲＡＴで動作していると識別された第２の近接セルについて、ブロック７２５、ブロック７３０およびブロック７３５に示すステップが実行できる。例えば、ブロック７２５では、走査インターバルの開始時に、デバイス１１５の第２のＭＩＭＯアンテナ資源３１５−ａ−２と関連付けられた受信機が第２の近接セルの周波数帯域にチューンされ得る。ブロック７３０では、第２のＭＩＭＯアンテナ資源３１５−ａ−２が第２の近接セルから複数のワイヤレス信号を受信でき、これら受信信号に対して第２のハンドオフ関連測定が実行され得る。ブロック７３５では、測定値が得られた後で、走査インターバルの終了時に、第２のＭＩＭＯアンテナ資源３１５−ａ−２と関連付けられた受信機がサービングセルの周波数帯域にチューンされ得る。
【００５１】
従って、方法７００は、モバイルデバイス１１５がサービングセルと同じ周波数帯域またはＲＡＴで動作する複数の近接セル、および異なるＲＡＴを提供し、かつ／または異なる周波数帯域で動作する複数の近接セルを並列的に走査できるようにできる。いくつかの例では、複数の近接セルの走査手続きは、各近接セルと関連付けられたＲＡＴまたは周波数帯域にかかわらず同じ走査インターバル中に行うことができる。なお、方法７００は単なる１つの実施態様に過ぎず、方法７００の動作は、他の実施態様が可能になるように再構成あるいは変形できることに留意されたい。ここで、サービングセルと異なる周波数帯域およびＲＡＴで動作している複数のセルの同時ハンドオフ関連測定の様々な例について説明する。これら様々な例は上述した方法７００およびデバイス１１５のアーキテクチャにより実施され得る。
【００５２】
同時パワー測定
１つの構成では、走査インターバル（将来の走査インターバルおよび隣接する走査インターバル間の期間を含む）中に、デバイス１１５が第１のＭＩＭＯアンテナ資源３１５−ａ−１をサービングセルに専用できる。言い換えれば、第１のＭＩＭＯアンテナ資源３１５−ａ−１がサービングセルと同じ周波数帯域またはＲＡＴを共用する複数の近接セルに専用できる。第２のＭＩＭＯアンテナ資源３１５−ａ−２は、サービングセルと異なる周波数帯域にある、または異なるＲＡＴを提供する複数の近接セルに割り当てられ得る。１つの例では、走査インターバル中に、第１のＭＩＭＯアンテナ資源３１５−ａ−１がこれら近接セルからの複数のワイヤレス信号を受信して、これら信号のパワー測定値を計算し得る。さらに、同じ走査インターバル中に、第２のＭＩＭＯアンテナ３１５−ａ−２と関連付けられた受信機がその走査インターバルの一部分のあいだに、上記の異なる周波数にチューンされ得る。受信機のチューニングが完了した後で、異なる周波数帯域にある複数の近接セルから受信された複数の信号のパワー測定値が計算される。１つの例では、走査インターバルの終了時に、この受信機がサービングセルの周波数帯域にチューンされ得る。
【００５３】
同時信号品質測定
１つの例では、各走査インターバル中に、デバイス１１５がＭＩＭＯアンテナ資源３１５を使用して近接セルから信号を受信し、各信号の信号品質測定値を測定し得る。１つの構成では、デバイス１１５が、各近接セルの信号品質測定値を相互に排他的な方法で計算し得る。走査インターバルの開始時に、第１のＭＩＭＯアンテナ資源３１５−ａ−１がサービングセルと同じ周波数およびまたはＲＡＴを共用する複数の近接セルからの複数の信号の受信を開始する一方で、第２のＭＩＭＯアンテナ資源３１５−ａ−２と関連付けられた受信機が異なるＲＡＴを提供する近接セルの周波数帯域にチューンされ得る。チューニング後に、第２のＭＩＭＯアンテナ資源３１５−ａ−２がこれら近接セルからの複数の信号の受信を開始でき、測定モジュール３１０がこれら様々な近接セルから受信された複数の信号の信号品質測定値を計算できる。走査インターバルの終わりで、この受信機はサービングセルの周波数帯域にチューンされ得る。その結果、サービングセルと共通点を有する複数の近接セルの信号品質測定値が、デバイス１１５のアーキテクチャを使用し、サービングセルと異なる複数の近接セルの測定と並行して取得できる。
【００５４】
同時パワー測定および信号品質測定
１つの例では、デバイス１１５が、サービングセルと同じ周波数帯域およびＲＡＴを共用する複数の近接セルについてのパワー測定を実行し、かつ異なる周波数帯域およびＲＡＴの複数の近接セルについての信号品質測定を実行し得る。このシナリオでは、デバイス１１５が、上述の同時パワー測定手法を使用して、サービングセルと同じ周波数帯域を共用する複数の近接セルについての測定をスピードアップする（すなわち複数の近接セルを複数サブセットのセルに分割する）ことができる。デバイス１１５は、異なる周波数上の近接セルを測定するために上述の信号品質測定手法を使用し得る。その結果として、パワー測定値および信号品質測定値が異なる近接セルについて同じ走査インターバル中に同時に計算できる。
【００５５】
別の例では、デバイス１１５が、サービングセルと同じ周波数およびＲＡＴを共用する複数の近接セルについて信号品質測定を実行し、異なるＲＡＴに属する、かつ／または異なる周波数帯域で動作する複数の近接セルについてパワー測定を実行し得る。この例は、２つの異なる選択肢を提供し得る。
【００５６】
第１の選択肢では、信号品質測定およびパワー測定が相互に排他的であり得る。例えば、ある走査インターバルが信号品質測定の計算またはパワー測定の計算に専用され得る。走査インターバルが信号品質測定の取得に専用される場合には、上述の同時信号品質測定手法が実施され得る。パワー測定値がこの走査インターバル中に計算される場合には、異なる周波数で動作している、または異なるＲＡＴに属している複数の近接セルが例えば２つのサブセットのような多数のサブセットに分割できる。トランシーバ制御装置２８４−ｂは、第１のＭＩＭＯアンテナ資源３１５−ａ−１を第１サブセットに専用し、第２のＭＩＭＯアンテナ資源３１５−ａ−２を第２サブセットに専用し得る。走査インターバルの開始時に、これら２つのＭＩＭＯアンテナの複数の受信機はこれら近接セルの周波数にチューンされ得る。チューニングが完了した後で、これら近接セルのパワー測定値が同時方式で計算され得る。走査インターバルの終わりで、両方のＭＩＭＯアンテナの複数の受信機はサービングセルにチューンされる。
【００５７】
第２の選択肢では、信号品質測定およびパワー測定が同時に実行され得る。例えば、各走査インターバル中に、トランシーバ制御装置２８４−ｂが、第１のＭＩＭＯアンテナ資源３１５−ａ−１を、サービングセルおよびサービングＢＳと同じ周波数帯域を共用する複数の近接セルに専用し、第２のＭＩＭＯアンテナ資源３１５−ａ−２を、異なる周波数帯域またはＲＡＴを有する複数の近接セルに専用し得る。各走査インターバル中に、デバイス１１５は、単一入力単一出力（ＳＩＳＯ）手法を使用して信号品質測定を実行し、かつＳＩＳＯ手法を使用してパワー測定を実行し得る。パワー測定が異なる周波数帯域を有する近接セルについて実行されると、第２のＭＩＭＯアンテナ資源３１５−ａ−２と関連付けられた受信機が近接セルの周波数帯域にチューンされ得る。チューニングが完了した後で、測定モジュール３１０−ｂが、異なる周波数帯域またはＲＡＴの複数の近接セルから受信された複数の信号のパワー測定値を計算することを開始し得る。走査インターバルの終わりで、受信機がサービングセルにチューンされ得る。
【００５８】
ここで図８を参照すると、デバイス１１５が接続モードにあるあいだに、計算すべき測定値のタイプを走査インターバルの決定された長さに基づいて決定するための方法８００の一例が提供される。１つの構成では、方法８００が、図１、図２、図３、図４Ａまたは図４Ｂのデバイス１１５によって実施され得る。
【００５９】
ブロック８０５では、デバイス１１５が接続モードにあると判定できる。例えば、デバイスは、サービング基地局とアクティブ通信していることがある。ブロック８１０では、異なる周波数帯域またはＲＡＴの少なくとも１つの近接セルが識別できる。ブロック８１５では、走査インターバルの長さが決定できる。ブロック８２０では、走査インターバルの開始が識別できる。
【００６０】
１つの構成では、走査インターバルの長さが短い場合には、パワー測定が異なる周波数帯域で動作している複数の近接セルについて実行され得る。ブロック８２５では、ＭＩＭＯアンテナ資源３１５と関連付けられた受信機がその異なる周波数帯域の周波数にチューニングされ得る。ブロック８３０では、パワー測定がこれら近接セルから受信された複数のワイヤレス信号について実行され得る。加えて、ブロック８３５では、受信機が再度サービングセルの周波数帯域にチューンされ得る。ブロック８５５では、走査インターバルの終了が識別され得る。
【００６１】
１つの構成では、走査インターバルの長さが長い場合に、信号品質測定が異なる周波数帯域で動作している複数の近接セルについて実行され得る。ブロック８４０では、ＭＩＭＯアンテナ資源３１５と関連付けられた受信機が、その異なる周波数帯域の周波数にチューンされ得る。ブロック８４５では、信号品質測定がこれら近接セルから受信された複数のワイヤレス信号について実行され得る。ブロック８５０では、受信機がサービングセルの周波数帯域にチューンされ得る。ブロック８５５では、走査インターバルが終了し得る。
【００６２】
１つの構成では、パワー測定または信号品質測定（走査インターバルの長さによって決まる）がサービングセルとは異なる周波数帯域またはＲＡＴで動作している複数の近接セルについて実行されるあいだに、デバイス１１５が他のタイプの測定をサービングセルと同じ周波数またはＲＡＴを共用する複数の近接セルについて同時に実行しできる。実行すべき測定のタイプは、必要なチューニングの量にも基づいて決定できる（チューニングの量を増やすと、走査インターバル内で実際に走査に要する時間をさらに短縮できるから）。その結果として、様々な例とともに上述したように、デバイス１１５が接続モードにある走査インターバル中に、デバイス１１５が同じ周波数帯域を有する複数の近接セルについて他のタイプの測定（例えばパワー測定、信号品質測定など）を実行ことと並行して、異なる周波数帯域を有する複数の近接セルについてパワー測定または信号品質測定を実行できる。なお、方法８００は単なる１つの実施態様に過ぎず、方法８００の動作は、他の実施態様が可能になるように再構成あるいは変形できることに留意されたい。
【００６３】
ここで図９を参照すると、計算すべき測定値のタイプをデバイス１１５のモードおよび走査インターバルの決定された長さに基づいて決定するための方法９００の一例が提供される。１つの構成では、方法９００が、図１、図２、図３、図４Ａまたは図４Ｂのモバイルデバイス１１５によって実施され得る。
【００６４】
ブロック９０５では、デバイス１１５が遊休モードにあると判定できる。例えば、デバイスは、サービング基地局とアクティブ通信していないことがある。ブロック９１０では、サービングセルと同じ周波数帯域またはＲＡＴの少なくとも１つの近接セルおよび異なる周波数帯域またはＲＡＴの少なくとも１つの近接セルが識別され得る。ブロック９１５では、走査インターバルの長さが決定され得る。例えば、走査インターバルの長さが長いインターバルであると決定され得る。ブロック９２０では、走査インターバルの開始が識別され得る。
【００６５】
１つの構成では、ブロック９２５で、複数の第１ワイヤレス信号のハンドオフ関連測定値が計算され得る。これら信号は、サービングセルと同じ周波数帯域またはＲＡＴを共用する複数の近接セルから受信され得る。ブロック９３０では、第２のＭＩＭＯアンテナ資源３１５−ａ−２と関連付けられた受信機がこれら近接セルの異なる周波数帯域にチューンされ得る。これら近接セルからの複数の信号は、チューニングが完了した後で受信され得る。１つの構成では、ＤＬ符号化メッセージが受信され得る。ブロック９４５では、このＤＬメッセージがこれら近接セルに関する情報を得るために復号され得る。例えば、ＤＬメッセージには、近接セルのタイミング情報、パワー特性、オフセット情報などが含まれてよい。ブロック９５０では、受信機が再びサービングセルにチューンされ得る。ブロック９５５では、走査インターバルの終了が識別される。
【００６６】
従って、方法９００は、遊休モードにあるときに、異なる周波数帯域またはＲＡＴで動作している複数の近接セルから受信されたＤＬメッセージを同時に復号し、サービングセルと同じまたは異なる周波数帯域で動作するセルのハンドオフ関連測定を実行するためにＭＩＭＯアンテナ資源を使用することをデバイス１１５にさせる。なお、方法９００は単なる１つの実施態様に過ぎず、方法９００の動作は、他の実施態様が可能になるように再構成あるいは変形できることに留意されたい。
【００６７】
上記の説明で述べたように、走査インターバルは、既存の走査手続き（すなわち同じ周波数帯域にある複数の近接セルの測定を実行すること）と並行して、サービングセルとは異なる周波数または異なるＲＡＴの複数の近接セルについてのハンドオフ関連測定および他のタイプの測定を実行するために使用され得る。上述の走査手続きは、同じ走査インターバル中に、異なる周波数帯域またはＲＡＴで動作する複数の近接セルとともにサービングセルと同じ周波数帯域またはＲＡＴを有する複数の近接セルの測定も同時に実行することをモバイルデバイス１１５にさせる。
【００６８】
添付の図面と関連付けて上記に述べた詳細な説明は、例示的な実施形態について述べたものであり、実施できるすべての実施形態、または特許請求の範囲内に含まれるすべての実施形態を表すものではない。本明細書を通じて使用されるような用語「例示的な」は、「例、実例または例示として役に立つ」を意味し、「好ましい」または「他の実施形態より有利である」を意味しない。上記の詳細な説明に含まれる具体的な詳細は、説明する技術の理解を目的としたものである。ただし、これらの技術は、これらの具体的な詳細がなくても実施できる。場合によっては、記載する実施形態の概念が曖昧になるのを避けるために、周知の構造およびデバイスはブロック図の形態で示してある。
【００６９】
情報および信号は、様々な異なるテクノロジーおよび技術のうちのいずれを用いて表現してもよい。例えば、上記の説明の中で言及されることがあるデータ、命令、コマンド、情報、信号、ビット、シンボルおよびチップは、電圧、電流、電磁波、磁場または磁性粒子、光学場または光学粒子、あるいはそれらの任意の組合せで表すことができる。
【００７０】
本明細書の開示と関連付けて説明した様々な説明のためのブロックおよびモジュールは、本明細書に記載する機能を実行するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェア構成要素あるいはそれらの任意の組合せにより実施または実行できる。汎用プロセッサは、マイクロプロセッサとすることもできるが、代替形態では、プロセッサは、任意の従来のプロセッサ、制御装置、マイクロ制御装置または状態機械とし得る。プロセッサは、例えばＤＳＰとマイクロプロセッサの組合せ、複数のマイクロプロセッサ、ＤＳＰコアと連係した１つまたは複数のマイクロプロセッサ、あるいは任意の他のそのような構成など、複数の計算デバイスの組合せとして実装することもできる。
【００７１】
本明細書に記載する機能は、ハードウェア、プロセッサによって実行されるソフトウェア、ファームウェア、またはそれらの任意の組合せとして実施できる。プロセッサによって実行されるソフトウェアとして実施される場合には、これらの機能は、１つまたは複数の命令またはコードとしてコンピュータ可読媒体に記憶する、または送信できる。他の例および実施態様も、本開示および添付の特許請求の範囲の範囲および趣旨に含まれる。例えば、ソフトウェアの性質上、本明細書に記載する機能は、プロセッサによって実行されるソフトウェア、ハードウェア、ファームウェア、ハード配線またはそれらのいずれかの組合せを用いて実施できる。機能を実施する機構は、機能の各部が異なる物理的位置で実施されるように分散させるなど、物理的に様々な位置に配置できる。また、特許請求の範囲も含めて本明細書において「のうちの少なくとも１つ」という表現とともに複数の項目のリストで使用されるような「または（あるいは）」は、例えば「Ａ、ＢまたはＣのうちの少なくとも１つ」のリストがＡまたはＢまたはＣまたはＡＢまたはＡＣまたはＢＣまたはＡＢＣ（すなわちＡおよびＢおよびＣ）を意味するような離接的なリストを示す。
【００７２】
コンピュータ可読媒体としては、ある場所から別の場所へのコンピュータプログラムの移送を容易にする任意の媒体を含む、コンピュータ記憶媒体および通信媒体の両方が含まれる。記憶媒体は、汎用コンピュータまたは特殊目的コンピュータがアクセスできる任意の入手可能な媒体とし得る。例として、コンピュータ可読媒体には、ＲＡＭ、ＲＯＭ、ＥＥＰＲＯＭ（登録商標）、ＣＤ−ＲＯＭまたは他の光ディスク（ｄｉｓｋ）記憶装置、磁気ディスク（ｄｉｓｋ）記憶装置または他の磁気記憶デバイス、あるいは他の、所望のプログラムコード手段を命令もしくはデータ構造の形態で搬送もしくは記憶するために使用することができ、かつ汎用コンピュータもしくは特殊目的コンピュータまたは汎用プロセッサもしくは特殊目的プロセッサがアクセスできる任意の媒体が含まれる。また、任意の接続も、適宜コンピュータ可読媒体と称される。例えば、ソフトウェアが、ウェブサイト、サーバまたは他の遠隔ソースから、同軸ケーブル、光ファイバケーブル、撚り対線、デジタル加入者回線（ＤＳＬ）または赤外線、無線およびマイクロ波などのワイヤレス技術を用いて送信される場合には、同軸ケーブル、光ファイバケーブル、撚り対線、ＤＳＬまたは赤外線、無線およびマイクロ波などのワイヤレス技術も、媒体の定義に含まれる。本明細書で使用するディスク（ｄｉｓｋ）およびディスク（ｄｉｓｃ）としては、コンパクトディスク（ｄｉｓｃ）（ＣＤ）、レーザディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびＢｌｕ−ｒａｙ（登録商標）ディスク（ｄｉｓｃ）などがある。ここで、ディスク（ｄｉｓｋ）は、通常磁気的にデータを再現するものであり、ディスク（ｄｉｓｃ）は、レーザを用いて光学的にデータを再現するものである。上記のものの組合せも、コンピュータ可読媒体の範囲に含まれる。
【００７３】
本開示のここまでの説明は、当業者が本開示を作製または使用することを可能にするために与えたものである。本開示に対する様々な修正は、当業者には容易に明らかになるであろう。また、本明細書に定義する包括的な原理は、本開示の趣旨または範囲を逸脱することなく、他の変形形態にも適用できる。本開示を通じて、用語「例」または「例示的な」は、例または実例を示しており、記載した例がどのような形であれ優先されることを暗示する、または求めるものではない。従って、本開示は、本明細書に記載した例および設計に限定されず、本明細書に開示した原理および新規性のある特徴と整合する最も広い範囲が与えられるものとする。
以下に本件出願当初の特許請求の範囲に記載された発明を付記する。
[Ｃ１]
実行すべきハンドオフ関連測定のタイプを走査インターバルの長さに基づいて決定することと、
サービングセルと通信しているデバイスの第１の多入力多出力（ＭＩＭＯ）アンテナ資源で受信される第１の近接セルからの複数の第１ワイヤレス信号の第１のハンドオフ関連測定を実行することと、
前記第１のＭＩＭＯアンテナ資源で受信される前記複数の第１ワイヤレス信号と同時に前記デバイスの第２のＭＩＭＯアンテナ資源で受信される第２の近接セルからの複数の第２ワイヤレス信号の第２のハンドオフ関連測定を実行することとを備える方法。
[Ｃ２]
前記走査インターバル中に前記第１のハンドオフ関連測定および前記第２のハンドオフ関連測定を実行することをさらに備える、Ｃ１に記載の方法。
[Ｃ３]
前記デバイスが接続モードであるか遊休モードであるかを判定することと、
前記走査インターバルの長さを決定することとをさらに備える、Ｃ２に記載の方法。
[Ｃ４]
前記第１のハンドオフ関連測定および前記第２のハンドオフ関連測定がパワー測定を備える、Ｃ１に記載の方法。
[Ｃ５]
前記第１のハンドオフ関連測定および前記第２のハンドオフ関連測定が信号品質測定を備える、Ｃ１に記載の方法。
[Ｃ６]
前記信号品質測定が信号対雑音比（ＳＮＲ）、搬送波対干渉雑音比（ＣＩＮＲ）、ビット誤り率（ＢＥＲ）、１ビット当たりの信号電力と雑音密度の比（Ｅb／ＮO）または１シンボル当たりの信号電力と雑音密度の比（ＥS／ＮO）を備える、Ｃ５に記載の方法。
[Ｃ７]
前記第１のハンドオフ関連測定がパワー測定を備え、前記第２のハンドオフ関連測定が信号品質を備える、Ｃ１に記載の方法。
[Ｃ８]
前記第１のＭＩＭＯアンテナ資源で前記第１の近接セルから受信される第１のダウンリンクメッセージを復号することと、前記第２のＭＩＭＯアンテナで前記第２の近接セルから受信される第２のダウンリンクメッセージを復号することとをさらに備える、Ｃ１に記載の方法。
[Ｃ９]
前記第１の近接セルが前記サービングセルとは異なる周波数帯域にあり、
前記第２の近接セルが前記サービングセルとは異なる周波数帯域にある、Ｃ１に記載の方法。
[Ｃ１０]
前記走査インターバルの第１期間中に、前記第１のＭＩＭＯアンテナ資源と関連付けられた受信機を前記第１の近接セルの周波数帯域にチューニングすることと、
前記走査インターバルの第１期間中に、前記第２のＭＩＭＯアンテナ資源と関連付けられた受信機を前記第２の近接セルの周波数帯域にチューニングすることとをさらに備える、Ｃ９に記載の方法。
[Ｃ１１]
前記走査インターバルの第２期間中に、前記第１のＭＩＭＯアンテナ資源および前記第２のＭＩＭＯアンテナ資源と関連付けられた受信機を前記サービングセルの周波数帯域にチューニングすることをさらに備える、Ｃ９に記載の方法。
[Ｃ１２]
前記第１の近接セルが第１の無線アクセス技術（ＲＡＴ）を備え、
前記第２の近接セルが前記第１のＲＡＴを備える、Ｃ１に記載の方法。
[Ｃ１３]
前記第２の近接セルが前記サービングセルとは異なる周波数帯域にある、Ｃ１２に記載の方法。
[Ｃ１４]
前記サービングセルが第１のＲＡＴを備える、Ｃ１２に記載の方法。
[Ｃ１５]
前記第１の近接セルが第１の無線アクセス技術（ＲＡＴ）を備え、
前記第２の近接セルが前記第１のＲＡＴとは異なる第２のＲＡＴを備える、Ｃ１に記載の方法。
[Ｃ１６]
前記第１の近接セルが前記サービングセルと同じ周波数帯域にあり、
前記第２の近接セルが前記サービングセルとは異なる周波数帯域にあり、
前記サービングセルが前記第１のＲＡＴを備える、Ｃ１５に記載の方法。
[Ｃ１７]
複数の多入力多出力（ＭＩＭＯ）アンテナ資源と、
前記複数のＭＩＭＯアンテナ資源に結合されたトランシーバと、
前記トランシーバと通信していて、走査インターバルの長さを決定するように構成された検出モジュールと、
前記走査インターバルの前記決定された長さに基づいて実行すべきハンドオフ関連測定のタイプを決定し、
前記複数のＭＩＭＯアンテナ資源のうちの第１のＭＩＭＯアンテナ資源で受信される第１の近接セルからの複数の第１ワイヤレス信号の第１のハンドオフ関連測定を実行し、
前記第１のＭＩＭＯアンテナ資源で受信される前記複数の第１ワイヤレス信号と同時に前記複数のＭＩＭＯアンテナ資源のうちの第２のＭＩＭＯアンテナ資源で受信される第２の近接セルからの複数の第２ワイヤレス信号の第２のハンドオフ関連測定を実行するように構成され、前記トランシーバと結合された測定モジュールとを備え、
サービングセルと通信しているデバイス。
[Ｃ１８]
前記測定モジュールは前記走査インターバル中に前記第１のハンドオフ関連測定および前記第２のハンドオフ関連測定を実行するように構成される、Ｃ１７に記載のデバイス。
[Ｃ１９]
前記検出モジュールは前記デバイスが接続モードであるか遊休モードであるかを判定するように構成される、Ｃ１８に記載のデバイス。
[Ｃ２０]
前記第１のハンドオフ関連測定および前記第２のハンドオフ関連測定がパワー測定を備える、Ｃ１７に記載のデバイス。
[Ｃ２１]
前記第１のハンドオフ関連測定および前記第２のハンドオフ関連測定が信号品質測定を備える、Ｃ１７に記載のデバイス。
[Ｃ２２]
前記第１のハンドオフ関連測定がパワー測定を備え、前記第２のハンドオフ関連測定が信号品質を備える、Ｃ１７に記載のデバイス。
[Ｃ２３]
前記トランシーバと通信している復号モジュールをさらに備え、
前記復号モジュールは、前記第１のＭＩＭＯアンテナ資源で前記第１の近接セルから受信される第１のダウンリンクメッセージを復号し、前記第２のＭＩＭＯアンテナで前記第２の近接セルから受信される第２のダウンリンクメッセージを復号するように構成される、Ｃ１７に記載のデバイス。
[Ｃ２４]
前記第１の近接セルが前記サービングセルとは異なる周波数帯域にあり、
前記第２の近接セルが前記サービングセルとは異なる周波数帯域にある、Ｃ１７に記載のデバイス。
[Ｃ２５]
前記走査インターバルの第１期間中に、前記第１のＭＩＭＯアンテナ資源と関連付けられた受信機を前記第１の近接セルの周波数帯域にチューニングし、
前記走査インターバルの第１期間中に、前記第２のＭＩＭＯアンテナ資源と関連付けられた受信機を前記第２の近接セルの周波数帯域にチューニングするように構成され、前記トランシーバと通信しているチューニングモジュールをさらに備える、Ｃ２４に記載のデバイス。
[Ｃ２６]
前記チューニングモジュールは、前記走査インターバルの第２期間中に、前記第１のＭＩＭＯアンテナ資源および前記第２のＭＩＭＯアンテナ資源と関連付けられた受信機を前記サービングセルの周波数帯域にチューニングするように構成される、Ｃ２４に記載のデバイス。
[Ｃ２７]
決定された走査インターバルの長さに基づいて実行すべきハンドオフ関連測定のタイプを決定するための手段と、
サービングセルと通信しているデバイスの第１の多入力多出力（ＭＩＭＯ）アンテナ資源で受信される第１の近接セルからの複数の第１ワイヤレス信号の第１のハンドオフ関連測定を実行するための手段と、
前記第１のＭＩＭＯアンテナ資源で受信される前記複数の第１ワイヤレス信号と同時に前記デバイスの第２のＭＩＭＯアンテナ資源で受信される第２の近接セルからの複数の第２ワイヤレス信号の第２のハンドオフ関連測定を実行するための手段とを備える装置。
[Ｃ２８]
前記走査インターバル中に前記第１のハンドオフ関連測定および前記第２のハンドオフ関連測定を実行するための手段をさらに備える、Ｃ２７に記載の装置。
[Ｃ２９]
前記デバイスが接続モードであるか遊休モードであるかを判定するための手段と、
前記走査インターバルの長さを決定するための手段とをさらに備える、Ｃ２８に記載の装置。
[Ｃ３０]
前記第１のハンドオフ関連測定および前記第２のハンドオフ関連測定がパワー測定を備える、Ｃ２７に記載の装置。
[Ｃ３１]
前記第１のハンドオフ関連測定および前記第２のハンドオフ関連測定が信号品質測定を備える、Ｃ２７に記載の装置。
[Ｃ３２]
前記第１のＭＩＭＯアンテナ資源で前記第１の近接セルから受信される第１のダウンリンクメッセージを復号し、前記第２のＭＩＭＯアンテナで前記第２の近接セルから受信される第２のダウンリンクメッセージを復号するための手段をさらに備える、Ｃ２７に記載の装置。
[Ｃ３３]
前記第１の近接セルが前記サービングセルとは異なる周波数帯域にあり、
前記第２の近接セルが前記サービングセルとは異なる周波数帯域にある、Ｃ２７に記載の装置。
[Ｃ３４]
走査インターバルの第１期間中に、前記第１のＭＩＭＯアンテナ資源と関連付けられた受信機を前記第１の近接セルの周波数帯域にチューニングするための手段と、
走査インターバルの第１期間中に、前記第２のＭＩＭＯアンテナ資源と関連付けられた受信機を前記第２の近接セルの周波数帯域にチューニングするための手段とをさらに備える、Ｃ３３に記載の装置。
[Ｃ３５]
走査インターバルの第２期間中に、前記第１のＭＩＭＯアンテナ資源および前記第２のＭＩＭＯアンテナ資源と関連付けられた受信機を前記サービングセルの周波数帯域にチューニングするための手段をさらに備える、Ｃ３３に記載の装置。
[Ｃ３６]
非一時的コンピュータ可読媒体を備えるコンピュータプログラム製品であって、前記コンピュータ可読媒体は、
決定された走査インターバルの長さに基づいて実行すべきハンドオフ関連測定のタイプを決定するコードと、
サービングセルと通信しているデバイスの第１の多入力多出力（ＭＩＭＯ）アンテナ資源で受信される第１の近接セルからの複数の第１ワイヤレス信号の第１のハンドオフ関連測定を実行するコードと、
前記第１のＭＩＭＯアンテナ資源で受信される前記複数の第１ワイヤレス信号と同時に前記デバイスの第２のＭＩＭＯアンテナ資源で受信される第２の近接セルからの複数の第２ワイヤレス信号の第２のハンドオフ関連測定を実行するコードとを備える、コンピュータプログラム製品。
【図１】
0005960268.tif 000002
【図２】
0005960268.tif 000003
【図３】
0005960268.tif 000004
【図４Ａ】
0005960268.tif 000005
【図４Ｂ】
0005960268.tif 000006
【図５】
0005960268.tif 000007
【図６】
0005960268.tif 000008
【図７】
0005960268.tif 000009
【図８】
0005960268.tif 000010
【図９】
0005960268.tif 000011